【事件の表示】
　特許第３３７２７３８号「移動農機における肥料タンクの取付構造」の請求項１及び２に係る特許に対する特許異議の申立てについて、次のとおり決定する。
【結　論】
　訂正を認める。
　特許第３３７２７３８号の請求項１及び２に係る特許を維持する。
【理　由】
１．手続の経緯
　本件特許第３３７２７３８号の請求項１及び２に係る発明についての出願は、平成７年１２月２１日に特許出願されたものであり、平成１４年１１月２２日にその発明について特許権の設定登録がなされ、この特許に対し、特許異議の申立てがなされ、取消し理由を通知したところ、平成１６年４月２６日に訂正請求書とともに特許異議意見書が提出され、異議申立人に審尋したところ回答書が提出されたものである。
　
２．訂正請求について
２-1．訂正の内容
　特許権者が求めている訂正の内容は、次のとおりである（下線部分が訂正個所である）。
（１）訂正事項ａ
　特許明細書における特許請求の範囲の請求項１に記載された「運転席（８）を備えた走行機体（１）の後方に作業機（１１）を連結し、該作業機（１１）側には走行機体（１）側に設けられた肥料タンク（３１）内の肥料を施肥する施肥部（２８）を設け、上記走行機体（１）側には運転席（８）の側方に運転席（８）から作業機（１１）側への通路（２３）を設けた移動農機において、前記通路（２３）の上方に、通路（２３）を挟んで肥料タンク（３１）を左右回動自在に取付け、回動支点（４７）を通路（２３）を挟んだ肥料タンク（３１）の後方位置であって、運転席（８）の座席（７）より後方に設け、上記肥料タンク（３１）の内側方向回動時に、肥料タンク（３１）の外側面が走行機体（１）の最大横幅（Ｌ）より外側に突出しない状態で走行機体（１）の外側に略沿う格納姿勢（Ａ）にし、肥料タンク（３１）の前方の外側方向回動時に、肥料タンク（３１）の外側面が走行機体（１）の上記最大横幅（Ｌ）より外側に突出して、座席（７）の側方に乗降用の空間を形成せしめる作業姿勢（Ｂ）にするように、肥料タンク（３１）の回動限界位置を規制した移動農機における肥料タンクの取付構造。」を、
　「運転席（８）を備えた走行機体（１）の後方に作業機（１１）を連結し、該作業機（１１）側には走行機体（１）側に設けられた肥料タンク（３１）内の肥料を施肥する施肥部（２８）を設け、上記走行機体（１）側には運転席（８）の側方に運転席（８）から作業機（１１）側への通路（２３）を設けた移動農機において、前記通路（２３）の上方に、通路（２３）を挟んで肥料タンク（３１）を左右回動自在に取付け、回動支点（４７）を通路（２３）を挟んだ肥料タンク（３１）の後方位置であって、運転席（８）の座席（７）
の
寄り側
、且つ苗載せ台（９）の横幅（Ｌ’）を越えることをなくして
（２）訂正事項ｂ
　特許明細書の段落【０００４】（特許公報２頁左欄２０〜３８行）の記載を次のとおりに訂正する。
　「【課題を解決するための手段】上記問題点を解決するための本発明の移動農機における肥料タンクの取付構造は、運転席８を備えた走行機体１の後方に作業機１１を連結し、該作業機１１側には走行機体１側に設けられた肥料タンク３１内の肥料を施肥する施肥部２８を設け、上記走行機体１側には運転席８の側方に運転席８から作業機１１側への通路２３を設けた移動農機において、前記通路２３の上方に、通路２３を挟んで肥料タンク３１を左右回動自在に取付け、回動支点４７を通路２３を挟んだ肥料タンク３１の後方位置であって、運転席８の座席７
の
寄り側
、且つ苗載せ台９の横幅Ｌ’を越えることをなくして
２-2．訂正の適否
（１）訂正事項ａについて
　上記訂正事項ａにおいて、「運転席（８）の座席（７）より後方に」を「運転席（８）の座席（７）
の
寄り側
の
寄り側
　また、上記訂正事項ａにおいて、
「肥料タンク（３１）の外側面が走行機体（１）の上記最大横幅（Ｌ）より外側に突出して、座席（７）の側方に乗降用の空間を形成せしめる」を、「肥料タンク（３１）の外側面が走行機体（１）の上記最大横幅（Ｌ）より外側に突出し
、且つ苗載せ台（９）の横幅（Ｌ’）を越えることをなくして
　そして、「苗載せ台（９）の横幅（Ｌ’）を越えることをなくして、座席（７）の側方に乗降用の空間を形成せしめる作業姿勢（Ｂ）にするように、肥料タンク（３１）の回動限界位置を規制」することについては、特許明細書に「リヤ施肥タンク３１の揺動が規制（揺動角度が決定）されており、さらにこのとき（作業位置Ｂにおいて）リヤ施肥タンク３１が、苗載せ台９の横幅Ｌ′を越えることもない。」（段落【００２４】）と記載されており、前記訂正はこの記載に基づくものであるから、訂正事項ａによる訂正は願書に添付した明細書又は図面に記載した事項の範囲内においてするものであって新規事項を追加するものでなく、かつ、実質上特許請求の範囲を拡張し、又は変更するものではない。
（２）訂正事項ｂについて
　上記訂正事項ｂは、発明の詳細な説明の記載を訂正後の特許請求の範囲の記載と整合させるための訂正であるから、明りょうでない記載の釈明を目的とするものであり、訂正事項ｂによる訂正は願書に添付した明細書又は図面に記載した事項の範囲内においてするものであって新規事項を追加するものでなく、かつ、実質上特許請求の範囲を拡張し、又は変更するものではない。
２-3．むすび
　以上のとおりであるから、上記訂正は、特許法第１２０条の４第２項及び同条第３項において準用する特許法第１２６条第２項及び第３項の規定に適合するので、当該訂正を認める。
　
３．特許異議の申立てについて
３-1．異議申立て理由の概要
　異議申立人は、下記の証拠方法を提示し、本件の特許は次の理由により特許法第１１３条第１号、第２号及び第４号の規定により取り消されるべきである旨主張している。
（１）本件明細書における査定前にされた補正は本件の願書に最初に添付された明細書又は図面に記載された事項の範囲内において成されたものでないから、本件請求項１及び２の特許は特許法第１７条の２の規定に違反して特許されたものである（以下、「取消理由１」という。）。
（２）本件請求項１に係る発明は明確でないから、その特許は特許法第３６条第６項第２号の規定に違反して特許されたものである（以下、「取消理由２」という。）。
（３）本件請求項１に係る発明は、先願明細書（甲第１号証）に記載された発明と実質的に同一であるから、その特許は特許法第２９条の２の規定に違反して特許されたものである（以下、「取消理由３」という。）。
（４）本件請求項１に係る発明は、本件出願前に頒布された甲第２及び３号証に記載された発明並びに甲第４及び５号証に示された周知の技術に基づいて当業者が容易に発明をすることができたものであるから、その特許は特許法第２９条第２項の規定に違反して特許されたものである（以下、「取消理由４」という。）。
　　　　　　　　　　　　記
　甲第１号証：特開平９−５６２１５号公報
　甲第２号証：実願昭５８−８２８４６号（実開昭５９−１８７９２１号）のマイクロフイルム
　甲第３号証：実公昭５６−５８５６号公報
　甲第４号証：実開平３−１１７４１２号公報
　甲第５号証：特開平６−３２７３２６号公報（拒絶理由で引用）
　甲第６号証：実公平７−４２２６２号公報
　甲第７号証：特開昭６１−１７７９０８号公報
　甲第８号証：特開昭６３−２２７７２号公報
　甲第９号証：特開平７−２７４６４７号公報
　甲第１０号証：特開平２−２３１２７６号公報
　資料１：特開平９−１７２８２９号公報
　資料２：本件出願（特願平７−３４９７２０号）の発送番号１４４２１０の拒絶理由通知書に対する意見書
　
３-2．本件特許発明
　上記「２．訂正請求について」で示したように上記訂正が認められるから、本件の請求項１及び２に係るに係る発明は、訂正後の特許明細書の特許請求の範囲の請求項１及び２に記載された事項により特定される次のとおりのものである。
　「【請求項１】運転席（８）を備えた走行機体（１）の後方に作業機（１１）を連結し、該作業機（１１）側には走行機体（１）側に設けられた肥料タンク（３１）内の肥料を施肥する施肥部（２８）を設け、上記走行機体（１）側には運転席（８）の側方に運転席（８）から作業機（１１）側への通路（２３）を設けた移動農機において、前記通路（２３）の上方に、通路（２３）を挟んで肥料タンク（３１）を左右回動自在に取付け、回動支点（４７）を通路（２３）を挟んだ肥料タンク（３１）の後方位置であって、運転席（８）の座席（７）の後方寄り側に設け、上記肥料タンク（３１）の内側方向回動時に、肥料タンク（３１）の外側面が走行機体（１）の最大横幅（Ｌ）より外側に突出しない状態で走行機体（１）の外側に略沿う格納姿勢（Ａ）にし、肥料タンク（３１）の前方の外側方向回動時に、肥料タンク（３１）の外側面が走行機体（１）の上記最大横幅（Ｌ）より外側に突出して、且つ苗載せ台９の横幅（Ｌ’）を越えることをなくして、座席（７）の側方に乗降用の空間を形成せしめる作業姿勢（Ｂ）にするように、肥料タンク（３１）の回動限界位置を規制した移動農機における肥料タンクの取付構造。
【請求項２】肥料タンク（３１）の回動支点（４７）を平面視で作業機（１１）の前端より前方位置に設け、回動範囲を肥料タンク（３１）の後方部分が回動支点（４７）の後方に突出しない範囲に規制した請求項１の移動農機における肥料タンクの取付構造。」（以下、請求項１に係る発明を「本件発明」という。）
　
３-3．特許法第１７条の２の規定違反（取消理由１）について
　異議申立人は、平成１４年７月２９日付けの手続補正で補正された、特許請求の範囲における「回動支点（４７）を・・・運転席（８）の座席（７）より後方に設け」た構成は、本件の出願当初の明細書または図面に記載されておらず、本件請求項１及び２に係る発明は、特許法第１７条の２第３項の規定に違反して特許されたものであるから、その特許は特許法第１１３条第１号の規定により取り消されるべきである旨主張する。
　しかしながら、上記「２-2．訂正の適否」における「（１）訂正事項ａについて」に記載したとおり、「回動支点（４７）を・・・運転席（８）の座席（７）より後方に設け」を、「回動支点（４７）を・・・運転席（８）の座席（７）
の
寄り側
　
３-4．特許法第３６条の規定違反（取消理由２）について
　異議申立人は、特許請求の範囲に記載された「回動支点（４７）を通路（２３）を挟んだ肥料タンク（３１）の後方位置であって、運転席（８）の座席（７）より後方に設け、」における「肥料タンク（３１）の後方位置」は、「肥料タンク（３１）の範囲内のうちの後方位置」と「肥料タンク（３１）よりも後方位置に」との二通りの意味を含むような解釈をすることができるから、特許請求の範囲の記載が不明瞭である旨主張する。
　しかしながら、特許請求の範囲に記載された「肥料タンク（３１）の後方位置」は、出願当初から記載されていて、肥料タンク（３１）の後の方の位置の意味であって明確であり、しかも、本件発明の作用効果を奏するものであるから、明細書の記載が不備であるとはいえない。
　
３-5．特許法第２９条の２の規定違反（取消理由３）について
３-5-1．先願明細書記載の発明
　特願平７−２１５５６３号（特開平９−５６２１５号公報（甲第１号証））の願書に最初に添付された明細書又は図面（以下、「先願明細書」という。）には、次の記載が認められる。
（ａ）「ペースト肥料を圃場に供給する肥料供給部（２３）が備えられた苗植付装置（１０）を自走機体の後部に昇降操作自在に連結してある施肥装置付き田植え機であって、
前記肥料供給部（２３）に肥料供給するための肥料タンク（Ｔ２）を前記自走機体の運転座席（４）の横側と乗降用口（９）の横側とにわたって位置する第１取り付け姿勢と、前記乗降用口（９）の横側を開放する第２取り付け姿勢とに切り換え自在に前記自走機体に取り付けてある施肥装置付き田植え機。」（特許請求の範囲の請求項１）、
（ｂ）「図１に示すように、前車輪１および後車輪２を駆動可能に備え、機体前部に位置するエンジンボンネット３を有した原動部、この原動部の後方に位置する運転座席４を有した運転部、前記エンジンボンネット３の両横側に位置する第１肥料タンクＴ１および予備苗載せ台５、前記運転部の横側に位置する第２肥料タンクＴ２を備えた自走機体の後部に、リフトシリンダ６によって上下に揺動操作されるリンク機構７を介して昇降操作するように構成して苗植付装置１０を連結するとともに、自走機体から回転軸８によって苗植付装置１０に動力伝達するように構成してある。」（２頁右欄２１〜３１行）、
（ｃ）「図１および図６に示すように、自走機体の後輪フェンダー４０などを形成している上部構造体にタンク支持体４１を備え、前記第２肥料タンクＴ２から延出している取付け杆４３を前記タンク支持体４１の後輪フェンダー４０から後車輪２の上方に突出しているタンク取付け部４２の支持筒部４２ａに連結することにより、第２肥料タンクＴ２を自走機体に取り付けてある。前記取付け杆４３を前記支持筒部４２ａに対して自走機体上下方向の軸芯Ｘまわりで回動するように構成することにより、第２肥料タンクＴ２を自走機体に対して前記軸芯Ｘまわりで回動操作でき、この回動操作を行うことにより、第２肥料タンクＴ２の自走機体に対する取り付け姿勢が図５に実線で示す第１取付け姿勢と、同図に仮想線で示す第２取付け姿勢とに切り換えられるようにしてある。前記第１取付け姿勢として、第２肥料タンクＴ２の長手方向が自走機体の前後向きになるとともに第２肥料タンクＴ２の前記ホース３０ｂが連結している一端側が後方側になる状態で前記運転座席４の横側と、運転座席４と原動部の間の乗降用口９とにわたって位置し、第２肥料タンクＴ２が機体横外側への突出が少なくなるように機体内側に寄って位置するとともに第２肥料タンクＴ２の一端側と他端側のいずれの蓋付き投入口部Ｃにも運転座席４から手が容易に届く取り付け姿勢を設定してある。前記第２取付け姿勢として、第２肥料タンクＴ２の長手方向が自走機体の横向きになって前記乗降口９を開放し、運転部に乗ったり運転部から降りたりすることの障害にならない取付け姿勢を設定してある。第２肥料タンクＴ２を第１取付け姿勢や第２取付け姿勢に切り換えた際には、前記タンク取付け部４２に摺動自在に備えてあるロックピン４４をロックばね４５の付勢力によって前記取付け杆４３のピン孔に入り込ませて取付け杆４３を回動しないようにロックすることにより、第２肥料タンクＴ２を第１取付け姿勢や第２取付け姿勢に固定できる。そして、第２肥料タンクＴ２の姿勢切り換えを行う際には、前記タンク取付け部４２に取り付けてあるロック解除レバー４６を揺動操作し、ロックピン４４をロックばね４５に抗して取付け杆４３から抜き外すことにより、第２肥料タンクＴ２の回動ロックを解除できる。」（４頁左欄６〜４４行）、
（ｄ）図１、図５及び図６の記載からみて、運転座席４と収納状態にある第２肥料タンクＴ２との間に運転部から苗植付装置１０側へ移動できる空間が存在していることが示されている。
　上記の記載及び図面の記載からみて、先願明細書には、
　運転部を備えた自走機体の後方に苗植付装置（１０）を連結し、該苗植付装置（１０）側には自走機体側に設けられた第２肥料タンク（Ｔ２）内の肥料を施肥する肥料供給部（２３）を設け、
　上記自走機体側には運転席の側方に運転部から苗植付装置（１０）側へ移動できる空間を設けた田植え機において、
　前記移動空間を形成する機体上面よりも上方で、移動空間を挟んで第２肥料タンク（Ｔ２）を左右回動自在に取付け、
　第２肥料タンク（Ｔ２）の回動軸芯（Ｘ）を移動空間を挟んだ第２肥料タンク（Ｔ２）の後方位置であって、運転部の運転座席（４）の後方寄り側に設け、
　上記第２肥料タンク（Ｔ２）の内側方向回動時に、第２肥料タンク（Ｔ２）の外側面が、両側に位置する第１肥料タンク（Ｔ１）より外側に突出しない状態で自走機体に略沿う格納姿勢にし、第２肥料タンク（Ｔ２）の前方の外側方向回動時に、第２肥料タンク（Ｔ２）の外側面が、第１肥料タンク（Ｔ１）より外側に突出して、運転座席（４）の側方に乗降用の空間を形成せしめる作業姿勢にするように、第２肥料タンク（Ｔ２）の回動する乗用型田植機における肥料タンクの取付構造（以下、「先願明細書の発明」という。）が記載されていると認められる。
３-5-2．対比・判断
　本件発明と先願明細書の発明とを対比すると、両者は、
　本件発明が、「肥料タンク（３１）の前方の外側方向回動時に、肥料タンク（３１）の外側面が走行機体の上記最大横幅（Ｌ）より外側に突出し、且つ苗載せ台（９）の横幅（Ｌ’）を越えることをなくして、座席（７）の側方に乗降用の空間を形成せしめる作業姿勢（Ｂ）にするように、肥料タンク（３）の回動限界位置を規制し」ているのに対し、先願明細書の発明は、肥料タンク（第２肥料タンクＴ２）の前方の外側方向回動時に、肥料タンクの外側面が走行機体（自走機体）の上記最大横幅（Ｌ）より外側に突出し、且つ苗載せ台（苗載せ台１４）の横幅を越えて回動する点で構成が相違する。
　上記相違点について検討するに、運転席（８）の側方に左右回動自在に取付けた肥料タンク３１を外側方向に回動する際に、肥料タンクの外側面が苗載せ台の横幅を越えないように回動限界位置を規制することは、異議申立人が提示した、甲第３号証、特開平３−２４４３０３号公報（回答書で提示した資料３）、特開平５−３０４８０５号公報（回答書で提示した資料４）をみても、周知技術ということができないから、本件発明が、先願明細書の発明と同一であるとすることはできない。
　
３-6．特許法第２９条第２項の規定違反（取消理由４）について
３-6-1．甲号各証記載の発明
（１）甲第２号証（実願昭５８−８２８４６号（実開昭５９−１８７９２１号）のマイクロフイルム）には、次の記載が認められる。
（１-a）「８は走行機体１の後方に支架された田植装置であって、・・・リンク１２により上下方向に昇降可能に構成されている。」（３頁４〜８行）、
（１-b）「17,17は座席５の左右両側方に設けた液体肥料施肥用のタンクで、ポンプ18、インジケーター19及びフロート11下方に突出させたノズル20間はそれぞれパイプにより連結されていて、タンク17内の肥料がポンプ18により土中に吐出されるようになっている。」（第４頁７〜１２行）、
（１-c）「タンク17は前記補強部材15の連結基部である連結補強板13aを利用して、これに取付けて上方に延出させた前後２本の支柱21,22の先端にタンクベース25を介して支持されており、これを詳説すると、前後の支柱21の下部に設けたナット付座21aが前記補強板13aの前端部にボルト23により螺着されており、後部の支柱22に設けたナット付座22aが連結補強板13aの後端部にボルト24により螺着されている。」（４頁１３行〜５頁１行）、
（１-d）「また、本考案の実施例では液体肥料のタンクを付設したものについて述べたが、タンクに替えて補助苗台を付設するものでもよい。」（７頁６〜８行）。
　上記記載及び図面の記載からみて、甲第２号証には、
　座席５を備えた走行機体１の後方に田植装置８を連結し、該田植装置側には走行機体側に設けられた液体肥料施肥用のタンク17内の肥料を施肥するノズル20を設け、上記走行機体１の座席５の側方に、肥料タンク17を取付けた乗用農機における肥料タンクの取付構造が記載されていると認められる。
（２）　甲第３号証（実公昭５６−５８５６号公報）には、次の記載が認められる。
（２-a）「機体に操縦席と苗植装置とを備え、且つ前記機体の左右両側に補助苗ａを予め載置する補助苗乗せ枠を備えた乗用田植機において、前記補助苗乗せ枠を複数段に設けるとともに夫々を独立旋回可能に設け、前記補助苗乗せ枠を、前記操縦席５をガードすべく操縦席５の両側に機体からはみ出ることなく固定可能に設けたことを特徴とする乗用型田植機。」（実用新案登録請求の範囲）、
（２-b）「19は補助苗ａを予め載置する補助苗乗せ枠で、その外側後端部に支持アーム21を設け、支持アーム21を操縦席５の両横側に固設した支持柱23に嵌装して複数個重設しそれぞれ独立に前後方向へ旋回可能に支持されている。」（１頁右欄３５行〜２頁左欄２行）、
（２-c）「また、補助苗乗せ枠19を前方に旋回させて、操縦席５の両側に固定したときには、補助苗乗せ枠19の外側が、機体の外側、例えば駆動車輪７の外側へはみ出ないように構成されているものである。従って、路上走行時には、補助苗乗せ枠19を操縦席５の両側に固定して、操縦席５のガードをすることができるものである。」（２頁左欄７〜１４行）。
（３）甲第４号証（実開平３−１１７４１２号公報）には、「前記肥料タンクを該エンジン及びミッションケースの左右側方に配置すると共に、これら肥料タンクを前部を支軸として側方に回動可能に構成し、・・・
　エンジン出力軸側の肥料タンクの回動を、他方の肥料タンクに比して大きく側方へ回動可能に構成した、
ことを特徴とする施肥作業機。」（１頁左下欄１１〜２２行）と記載されている。
（４）甲第５号証（特開平６−３２７３２６号公報）には、「苗植付けに伴って圃場に撒くペースト状肥料を貯留するタンク（９）を機体前部に機体横側方に沿う状態で配置し、前記タンク（９）を前端寄りの縦向き軸芯（Ｐ）周りで回動操作自在に取付け、前記タンク（９）の肥料補給口（９ａ）を後端寄りに配置してある施肥装置付き田植機。」（特許請求の範囲）と記載されている。
（５）甲第６号証（実公平７−４２２６２号公報）には、
（５-a）「座席７の前側にはステップ８が形成されており、」（２頁左欄３２行）、
（５-b）「第１図に示すように、送出装置21はステップ８の左下側に固定され、」（２頁左欄４４〜４５行）、
（５-c）「支持プレート69の右側面にはタンク支持フレーム70が溶着され、該タンク支持フレーム70はリヤステップ10を回避して上方に伸び、肥料タンク41の後端を支持する。」（２頁右欄３７〜３９行）、と記載されている。
（６）甲第７号証（特開昭６１−１７７９０８号公報）の第１図ないし第３図には、操縦席（３）と苗収容枠（５）との間に通路としてのステップ（４）が形成されている構成が示されている。
（７）甲第８号証（特開昭６３−２２７７２号公報）には、「予備苗載台４９，４９より苗を取って着座したまま後方を向きフェンダー２７ａ上に足をおいて楽な姿勢で苗を供給できる。」（３頁右上欄１６〜１９行）と記載されており、第２図には、操縦席１３と予備苗載台４９，４９との間にステップ２７が形成されている構成が示されている。
（８）甲第９号証（特開平７−２７４６４７号公報）の図１及び図２には、操縦席１３と予備苗載台装置３１との間に通路としてのステップ９が形成されている構成が示されている。
（９）甲第１０号証（特開平２−２３１２７６号公報）の第２図及び第３図には、運転席２６の側部に、運転ステップ２０及びリヤステップ３３が形成されていることが示されている。
　
３-6-2．対比・判断
　本件発明と甲第２号証記載の発明とを対比すると、次の点で両者は構成が相違している。
（Ａ）本件発明では、「走行機体（１）側には運転席（８）の側方に運転席（８）から作業機（１１）側への通路（２３）を設け」ているのに対し、甲第２号証記載の発明では、通路が設けられているか不明である点。
（Ｂ）運転席の側方に取付けた肥料タンクを、本件発明では、「左右回動自在に取付け、回動支点（４７）を通路（２３）を挟んだ肥料タンク（３１）の後方位置であって、運転席（８）の座席（７）の後方寄り側に設け、上記肥料タンク（３１）の内側方向回動時に、肥料タンク（３１）の外側面が走行機体（１）の最大横幅（Ｌ）より外側に突出しない状態で走行機体（１）の外側に略沿う格納姿勢（Ａ）にし、肥料タンク（３１）の前方の外側方向回動時に、肥料タンク（３１）の外側面が走行機体（１）の上記最大横幅（Ｌ）より外側に突出し、且つ苗載せ台（９）の横幅（Ｌ’）を越えることをなくして、座席（７）の側方に乗降用の空間を形成せしめる作業姿勢（Ｂ）にするように、肥料タンク（３）の回動限界位置を規制し」ているのに対し、甲第２号証記載の発明では、回動するように構成していない点。
　まず、上記相違点（Ａ）について検討するに、走行機体の運転席の側方に運転席から作業機側への通路を設けることは甲第６ないし１０号証にも示されているように周知であるから、甲第２号証記載の発明において、走行機体の運転席（座席５）の側方に運転席から作業機（田植装置８）側への通路を設けることは当業者が容易にできることである。
　次に、上記相違点（Ｂ）について検討するに、甲第３号証には、乗用型田植機において、操縦席５の両側に補助苗乗せ枠１９を旋回可能に設け、前記補助苗乗せ枠を、操縦席５をガードすべく操縦席５の両側に機体からはみ出ることなく固定可能に設けることが記載されており、甲第４及び５号証には、肥料タンクを回動可能に構成することが記載されている。
　しかしながら、甲第３号証記載のものは、補助苗乗せ枠１９を回動させるときに、補助苗乗せ枠１９の外側面が苗載せ台（苗箱１５）の横幅を越えることになるから、甲第３号証には、補助苗乗せ枠の外側面が苗載せ台（苗箱１５）の横幅を越えないように苗載せ台の回動限界位置を規制する構成が記載されているとはいえず、結局、運転席の側方に左右回動自在に取付けた肥料タンクを外側方向に回動する際に、肥料タンクの外側面が苗載せ台の横幅を越えないように回動限界位置を規制することは、甲第３ないし１０号証、特開平３−２４４３０３号公報（回答書で提示した資料３）及び特開平５−３０４８０５号公報（回答書で提示した資料４）に記載されているとはいえない。
　そして、本件発明は、「作業位置Ｂにおいてリヤ施肥タンク３１が苗載せ台９の横幅Ｌ′を越えることがないため、植付作業中にリヤ施肥タンク３１を作業位置Ｂにセットしてもリヤ施肥タンク３１によって乗用田植機全体の横幅が増加することがなく、植付作業は従来同様に行うことができる。」という明細書記載の効果を奏するものである。
　したがって、本件発明が上記甲第２ないし４号証に記載された発明に基いて当業者が容易に発明をすることができたものとすることはできない。
　
３-7．むすび
　以上のとおりであるから、特許異議の申立ての理由によっては本件発明についての特許を取り消すことはできない。
　また、他に本件発明についての特許を取り消すべき理由を発見しない。
　よって、結論のとおり決定する。
【異議決定日】
平成１７年４月１４日（２００５．４．１４）
【訂正の要旨】
審決（決定）の【理由】欄参照。
（５４）【発明の名称】
移動農機における肥料タンクの取付構造
（５７）【特許請求の範囲】
　【請求項１】　運転席（８）を備えた走行機体（１）の後方に作業機（１１）を連結し、該作業機（１１）側には走行機体（１）側に設けられた肥料タンク（３１）内の肥料を施肥する施肥部（２８）を設け、上記走行機体（１）側には運転席（８）の側方に運転席（８）から作業機（１１）側への通路（２３）を設けた移動農機において、前記通路（２３）の上方に、通路（２３）を挟んで肥料タンク（３１）を左右回動自在に取付け、回動支点（４７）を通路（２３）を挟んだ肥料タンク（３１）の後方位置であって、運転席（８）の座席（７）
の
寄り側
、且つ苗載せ台（９）の横幅（Ｌ’）を越えることをなくして
　【請求項２】　肥料タンク（３１）の回動支点（４７）を平面視で作業機（１１）の前端より前方位置に設け、回動範囲を肥料タンク（３１）の後方部分が回動支点（４７）の後方に突出しない範囲に規制した請求項１の移動農機における肥料タンクの取付構造。
【発明の詳細な説明】
　【０００１】
　【発明の属する技術分野】
　この発明は施肥機構を備えた田植機等の移動農機における肥料タンクの取付構造に関する。
　【０００２】
　【従来の技術】
　従来施肥タンク付きの乗用田植機等では肥料用タンクを運転席側方の左右両側に取り付け支持されているものが知られており、特に深層施肥と浅層施肥の２種類の施肥を行うものでは、いずれか一方（通常は深層用）が運転席の両側に設置されていた。
　【０００３】
　【発明が解決しようとする課題】
　そして一般に肥料用タンクを運転席両側に取り付ける場合、肥料用タンクが植付機の苗載せ台等に当接したり、苗補給の妨げになったりしないように、肥料用タンクは植付機（苗載せ台）より前方に取り付けられる。このため運転席側方の空間が肥料用タンクによって小さくなり、作業者の運転席への乗降の妨げになるだけでなく、特にボンネットの両側に補助苗載せ台が取り付けられている場合は、補助苗載せ台からの補助苗の取り出し作業の妨げになるという欠点がある。
　【０００４】
　【課題を解決するための手段】
　上記問題点を解決するための本発明の移動農機における肥料タンクの取付構造は、運転席８を備えた走行機体１の後方に作業機１１を連結し、該作業機１１側には走行機体１側に設けられた肥料タンク３１内の肥料を施肥する施肥部２８を設け、上記走行機体１側には運転席８の側方に運転席８から作業機１１側への通路２３を設けた移動農機において、前記通路２３の上方に、通路２３を挟んで肥料タンク３１を左右回動自在に取付け、回動支点４７を通路２３を挟んだ肥料タンク３１の後方位置であって、運転席８の座席７
の
寄り側
、且つ苗載せ台９の横幅Ｌ’を越えることをなくして
　【０００５】
　また肥料タンク３１の回動支点４７を平面視で作業機１１の前端より前方位置に設け、回動範囲を肥料タンク３１の後方部分が回動支点４７の後方に突出しない範囲に規制したことを第２の特徴としている。
　【０００６】
　【発明の実施の形態】
　本発明の１実施形態について図面に基づいて説明する。図１，図２は本発明を応用した乗用田植機の平面図及び左側面図である。走行機体１が前輪２及び後輪３に支持される機体フレーム４上に構成されており、該走行機体１には前方のボンネット６内にエンジン（図示せず）が内装されているとともに、該エンジンの後方に座席７等を備えた運転席８が配設されている。そして該運転席８の後方には苗載せ台９を斜設した植付機１１が、アッパーリンク１２及び左右のロアリンク１３ａ，１３ｂで構成される昇降リンク１４を介して昇降自在に、且つローリング可能に連結されている。
　【０００７】
　上記運転席８には座席７の前方にハンドル１６等を備えた操作パネル１７が設けられており、該操作パネル１７と座席７の間にセンターステップ１８が機体フレーム４側に固定されて設けられている。そして該センターステップ１８及び座席７の左右側方には、センターステップ１８のほぼ前端から座席７の前後方向のほぼ中央位置に至るまでサイドステップ１９が、該サイドステップ１９後端から座席７の後方に至るまでリヤステップ２１がそれぞれ機体フレーム４側に固定されて設けられている。さらに左右のリヤステップ２１の外側方には、平面視でサイドステップ１９より外側に突出して拡張ステップ２２が設けられているとともに、左右のリヤステップ２１間にはリヤセンターステップ２０が設けられている。
　【０００８】
　このときセンターステップ１８とサイドステップ１９の上面はほぼ同一面をなしているが、リヤステップ２１における座席７より後方に位置する部分の上面はサイドステップ１９（センターステップ１８）の上面に対して平行に高くなって踏部２１ａを形成しており、リヤステップ２１における該踏部２１ａの前方部分は傾斜して踏部２１ａとサイドステップ１９とを連結している。またリヤセンターステップ２０の上面は踏部２１ａと同一面となっている。
　【０００９】
　そして上記各ステップによって、座席７の両側方から後方を囲むように運転席８から植付機１１側への通路２３が形成されている。なおセンターステップ１８，サイドストップ１９，リヤステップ２１，リヤセンターステップ２０は走行機体１を覆う機体カバーを兼ねており、換言すると機体カバー上に上記各ステップが形成されている。特にリヤステップ２１は後輪３のフェンダーも兼ねており、上記のような後方が高くなった形状をなしている。
　【００１０】
　次に植付機１１の構造について説明する。植付機１１は従来の乗用田植機に付設されるものと同様の構造であり、昇降リンク１４が下降した作業状態で、フロート２４によって圃場面に接地支持され、植付部２６によって植付作業を行うとともに、フロート２４の圃場への接地に際して圃場内に挿入されるフロート２４の下面から突出した施肥ノズル（施肥部）によって肥料タンク（ともに後述する）内の肥料を施肥するものである。
　【００１１】
　このとき植付機１１は従来同様にフロート２４を上下させることで植付深さ及び施肥深さを調節することができる。なお本実施形態では、施肥ノズルは比較的圃場の浅い位置に肥料を施肥する浅層用施肥ノズル２７と、比較的圃場の深い位置に肥料を施肥する深層用施肥ノズル２８とで構成されており、植付部２６が２つ設けられた各フロート２４に浅層用施肥ノズル２７と、深層用施肥ノズル２８がそれぞれ設けられている。
　【００１２】
　一方肥料タンクも浅層用施肥ノズル２７側に肥料を供給するフロント施肥タンク２９と、深層用施肥ノズル２８側に肥料を供給するリヤ施肥タンク３１で構成されており、上記フロント施肥タンク２９はボンネット６下方の左右に、リヤ施肥タンク３１は座席７の左右側方にそれぞれ設けられている。また本実施形態の植付機１１における苗載せ台９は、走行機体１の横幅Ｌ（後述するように左右の拡張ステップ２２の外側面間の距離となる）を越える横幅Ｌ′を有するとともに、上端側が運転席８側に延出している。そして苗載せ台９は両端部分の折り畳みが不可能なタイプであり、植付機１１は乗用田植機運搬時に、走行機体１（昇降リンク１４）から取り外されてトレーラ等で運搬される。つまり走行機体１は単体で運搬される。
　【００１３】
　またボンネット６の左右には機体フレーム４側から立設したステー３２に支持されて補助苗載せ台３３が複数段設けられており、該補助苗載せ台３３のうち少なくとも１つには補助苗載せ台３３から補助苗を取り出すための苗出し板３４が載置されている。このとき左右の補助苗載せ台３３の外側面は拡張ステップ２２の外側面より内側に入っている。
　【００１４】
　次に上記深層用施肥ノズル２８，リヤ施肥タンク３１等で構成される深層施肥機構の構造について説明する。該深層施肥機構は、前述のリヤ施肥タンク３１と、該リヤ施肥タンク３１内の肥料（ペースト肥料）を先端から吐出する前述の深層用施肥ノズル２８と、該深層用施肥ノズル２８とリヤ施肥タンク３１との間に設けられペースト肥料をリヤ施肥タンク３１から深層用施肥ノズル２８側に送り出すポンプ３６と、該ポンプ３６と深層用施肥ノズル２８間に設けられペースト肥料の深層用施肥ノズル２８側への送り出し又は停止の選択を行うとともに、ペースト肥料を送り出す場合にその動作の確認を行う機構のインジケータ３７等で構成されており、それぞれリヤサクションホース３８および入力施肥パイプ３９ａ，出力施肥パイプ３９ｂ等で配管（接続）されている。
　【００１５】
　上記リヤ施肥タンク３１は、図１，図２に示されるように通路２３を挟んで座席７の左右両側に、機体フレーム４側に取り付けられたステー４１を介して走行機体１側に支持されて設けられており、前述の通路２３におけるサイドステップ１９の後側からリヤステップ２１の踏部２１ａの前側に至る部分の上方に位置している。つまりリヤ施肥タンク３１はサイドステップ１９における座席７側方の上方と、座席７前方及び座席７後方の間の通路２３の高さ変化部分の上方に位置する。またリヤ施肥タンク３１は平面視において、縦方向の長さ（全長）に対して横幅（全幅）が短くなった形状をなしており、縦方向を前後にして走行機体１に取り付けられている。このとき全幅は通路２３の幅に対して短くなっている。
　【００１６】
　そして上記ステー４１は機体フレーム４側に左右揺動自在に取り付けられており、これによってリヤ施肥タンク３１は走行機体１に左右揺動自在に支持されている。このときリヤ施肥タンク３１は植付機１１の昇降のすべての範囲において苗載せ台９と当接しないとともに、苗載せ台９への苗補給時の妨げにならず、左右揺動時においても後述するようにその揺動範囲内では該苗載せ台９との上記条件が保たれる。
　【００１７】
　次に上記ステー４１の構造について説明する。ステー４１は図１〜図３に示されるように、リヤ施肥タンク３１を保持する側面視で略Ｕ字状に上方が開口した保持ステー４２と、機体フレーム４側に固定された取付部材４３と、該取付部材４３に左右回動自在に支持された支持アーム４４とで構成されている。そして取付部材４３は平面視において前面４３ａが円弧状となった扇形であって、下方が開口したコ字状断面を有している。また該前面４３ａにおける上部は開口しており、該開口部分４６からは後端側が取付部材４３に軸４７を介して回動自在に取り付けられた支持アーム４４が突出している。これによって支持アーム４４は開口部分４６の左右方向の開口範囲内で左右揺動自在となっている。
　【００１８】
　このとき支持アーム４４における取付部材４３から突出した部分の下方にはコ字状断面のブラケット４８が前後方向に固定されており、該ブラケット４８には側面視で略Ｌ字状のロッド４９が前後スライド自在に挿入されている。そして該ロッド４９は、前端及びＬ字状に湾曲した後端がブラケット４８の前後端から突出しており、ブラケット４８内においてスプリング５１がロッド４９に外嵌して設けられているとともに、該スプリング５１によってロッド４９が取付部材４３側に付勢されている。
　【００１９】
　一方取付部材４３の前面４３ａ下部における、支持アーム４４を揺動させたときのロッド４９先端の軌跡に対応する部分には、所定間隔でロッド４９の前端側を嵌入させることができる位置決め孔５２が複数設けられており、ロッド４９を該位置決め孔５２にスプリング５１の付勢力によって挿入することで、取付部材４３に対する支持アーム４４の位置（揺動角度）が固定される。そして上記スプリング５１の付勢力に抗してロッド４９を後方にスライドさせて位置決め孔５２から外し、支持アーム４４を揺動させ、その後他の位置決め孔５２にロッド４９を挿入することで支持アーム４４の取付部材４３に対する角度を変更することができる。
　【００２０】
　そして支持アーム４４の先端側にはブラケット５３を介して保持ステー４２の下端が取り付けられており、取付部材４３がリヤステップ２１を支持するフレーム４ａに取り付けられることで、上記構造のステー４１が走行機体１側に取り付けられている。このとき取付部材４３はリヤステップ２１の外側方に突出するようにフレーム４ａに取り付けられているが、平面視において拡張ステップ２２より外側には突出していない。
　【００２１】
　そして保持ステー４２の前後端にリヤ施肥タンク３１の前後端が取り付けられることでステー４１にリヤ施肥タンク３１が取り付けられ、リヤ施肥タンク３１が前述のように前後方向に走行機体１側に取り付けられる。そして上記のように支持アーム４４を取付部材４３に対して左右揺動させることで、リヤ施肥タンク３１が走行機体１に対して左右揺動する。なお本実施形態ではリヤ施肥タンク３１の位置を、図３（ｂ）に示す格納位置Ａと作業位置Ｂに切り換えることができる構造（位置決め孔５２は２つ）になっており、必要に応じてロッド４９を２つのうちのいずれかの位置決め孔５２に挿入することで、リヤ施肥タンク３１を格納位置Ａ，作業位置Ｂいずれかの位置にセットすることができる。つまりリヤ施肥タンク３１の揺動範囲は格納位置Ａと作業位置Ｂとの間となる。
　【００２２】
　このときリヤ施肥タンク３１の回動支点となる軸４７は、図３（ｂ）に示されるようにリヤステップ２１の外側方におけるリヤ施肥タンク３１の後方に位置し、リヤ施肥タンク３１の後端つまり保持ステー４２の後端と平面視で近接している。また平面視において苗載せ台９前端より前方に位置している。これによって上記ステー４１を含んだリヤ施肥タンク３１のアッセンブルは、前後方向の長さが施肥タンク３１のみの長さとほぼ変わらないため、走行機体１上に比較的コンパクトに搭載される。
　【００２３】
　そして格納位置Ａではリヤ施肥タンク３１の内側が前述の通路２３の外側に沿うとともに、リヤ施肥タンク３１の外側が拡張ステップ２１の外側を越えないようにリヤ施肥タンク３１が位置する。すなわち両拡張ステップ２２外側間が走行機体１の最大横幅Ｌとなり、リヤ施肥タンク３１は、その外側が走行機体１の外側に沿って上記走行機体１の横幅Ｌからはみだすことはない。なお上記状態はリヤ施肥タンク３１の横幅が、通路２３の幅に対して小さいことによって得られている。
　【００２４】
　また作業位置Ｂではリヤ施肥タンク３１（リヤ施肥タンク３１のアッセンブル）の後方部分が回動支点軸４７の後方に突出しないように、リヤ施肥タンク３１の揺動が規制（揺動角度が決定）されており、さらにこのとき（作業位置Ｂにおいて）リヤ施肥タンク３１が、苗載せ台９の横幅Ｌ′を越えることもない。これにより格納位置Ａにおいてリヤ施肥タンク３１のアッセンブルが植付機１１の昇降に際して、苗載せ台９等に当接しないように設定することで、作業位置Ｂにおいてもリヤ施肥タンク３１のアッセンブルが苗載せ台９等に当接することはない。すなわちリヤ施肥タンク３１は前述の苗載せ台９と当接しない等の条件と、上記格納位置Ａにおいてその外側が走行機体１の外側に沿い、作業位置Ｂにおいて苗載せ台９の横幅Ｌ′を越えない等の条件を兼ね備えた範囲に揺動範囲が規制されている。
　【００２５】
　以上によりリヤ施肥タンク３１は常に通路２３の外側に位置するとともに、特に格納位置Ａにおいては、リヤ施肥タンク３１の外側が走行機体１の横幅Ｌを越えないだけでなく、走行機体１の横幅Ｌをリヤ施肥タンク３１のために広くすることなく、座席７とリヤ施肥タンク３１との間の空間５４を従来より広く確保でき、通路２３の通行が容易になる。なおリヤ施肥タンク３１の揺動支点軸４７がリヤ施肥タンク３１の後方に位置しているので、リヤ施肥タンク３１の揺動時にリヤ施肥タンク３１の後部が通路２３内に突出することがなく、リヤ施肥タンク３１が通路２３の通行の妨げになることはない。
　【００２６】
　つまり揺動支点軸４７がリヤ施肥タンク３１のほぼ後端位置にあることで、上記効果とコンパクト搭載という効果を同時に且つ容易に得ることができる。さらに上記のようにリヤ施肥タンク３１のアッセンブルの後方部分が、リヤ施肥タンク３１が作業位置Ｂにあるときに回動支点軸４７の後方に突出しないため、植付機９が昇降する際に苗載せ台９とリヤ施肥タンク３１が当接することはなく、又リヤ施肥タンク３１が植付機９の昇降を妨げることもない。
　【００２７】
　また本実施形態の乗用田植機を運搬する際には、前述のように植付機１１が走行機体１から取り外されて運搬されるため、走行機体１は単独で輸送される。このとき上記のようにリヤ施肥タンク３１を格納位置Ａにセットすることによって走行機体１の横幅Ｌよりリヤ施肥タンク３１が突出することはないので、走行機体１の運搬は容易である。なお植付機には苗載せ台の左右端部を内側に折り畳むことができる機種（図示しない）があり、この苗載せ台を搭載した植付機が取り付けられている乗用田植機は、一般には苗載せ台を折り畳んで走行機体と植付機を一体に運搬する。
　【００２８】
　そして上記折り畳み可能な苗載せ台は、折り畳むとその横幅が走行機体の横幅とほぼ同じになるように構成されている。このためリヤ施肥タンクを格納位置Ａにセットし、走行機体１の横幅よりリヤ施肥タンク３１を突出させないようにすることで、上記折り畳み式の苗載せ台が搭載された植付機１１が取り付けられた乗用田植機の運搬を容易に行うことができる。またこのタイプ（折り畳み式）の植付機（苗載せ台）は、上端側の運転席側への延出が少ない。
　【００２９】
　さらに特にリヤ施肥タンク３１が格納位置Ａにある場合、リヤ施肥タンク３１が上記のようにサイドステップ１９及びリヤステップ２１の側方に位置するため、リヤ施肥タンク３１は通路２３におけるサイドステップ１９及びリヤステップ２１の側方のガードとして機能し、作業者（オペレータ）は通路２３の移動に際してサイドステップ１９及びリヤステップ２１等の端部に特に注意を払う必要なく、また移動中にバランスを崩しても体勢の確保が容易となり、通路２３の移動を容易に行うことができる。特に本実施形態では前述のように通路２３に段差があり、該段差上方にリヤ施肥タンク３１が位置するため、リヤ施肥タンク３１は通路２３における段差部分のガードとなる。またリヤ施肥タンク３１はステー４１も含め、通路２３のてすりとしても機能する。
　【００３０】
　またリヤ施肥タンク３１を作業位置Ｂにセットすることによって、補助苗載せ台３３とリヤ施肥タンク３１前端との間の距離を、リヤ施肥タンク３１が格納位置Ａにあるときよりも大きくとることができる。これにより苗出し板３４によって補助苗載せ台３３から補助苗を取り出す作業をより容易に行うことができ、円滑に苗載せ台９への苗補給作業を行うことができる。また上記のように補助苗載せ台３３とリヤ施肥タンク３１前端との間の距離（空間）５６が広くなるため、作業者は運転席８，各ステップ等への乗降が容易となる。
　【００３１】
　なお作業位置Ｂにおいてリヤ施肥タンク３１が苗載せ台９の横幅Ｌ′を越えることがないため、植付作業中にリヤ施肥タンク３１を作業位置Ｂにセットしてもリヤ施肥タンク３１によって乗用田植機全体の横幅が増加することがなく、植付作業は従来同様に行うことができる。またリヤ施肥タンク３１を上記のように回動式に形成せず、図４に示すように取付部材４３を介さず支持アーム４４を直接機体フレーム４に固定することで、格納位置Ａの位置に非回動に取り付けても良い。
　【００３２】
　この場合は苗補給作業用のスペース及び乗降用のスペースは若干少なくなるが、リヤ施肥タンク３１が格納位置Ａにある場合の効果と同様の効果は得ることができる。また乗用田植機には、特別にステップが設けられておらず、機体カバーが通路２３となっている機種もあるが、この場合も以上に示すものと同様の効果を得ることができる。
　【００３３】
　ここでステー４１の形状についてさらに詳細に説明する。図２に示されるようにサイドステップ１９，リヤステップ２１，支持アーム４４，保持ステー４２によって運転席８（ステップ上方）には側面視で略コ字状の空間５７が形成されている。このとき保持ステー４２は前方が斜めに屈曲しており、上記空間５７の前方上方が広くなっている。そしてこの構造によって作業者は空間５７の前方を有効に利用することができる。
　【００３４】
　また保持ステー４２の後方も斜めに屈曲しており、これによって平面視において、リヤ施肥タンク３１（保持ステー４２）とリヤステップ２１が重複していても、図５に示されるように作業者はリヤステップ２１（踏部２１ａ）全面を使用することができ、踏部２１ａにおいてリヤ施肥タンク３１を有しない機種とほぼ同程度の作業性を保つことができる。
　【００３５】
　次に深層施肥機構を構成する前述のポンプ３６及びリヤサクションホース３８について説明する。該ポンプ３６は図１，図２に示されるようにリヤステップ１９及びリヤサイドステップ２０後方に設けられており、左右両リヤ施肥タンク３１とリヤサクションホース３８によって接続されている。すなわちリヤ施肥タンク３１内のペースト肥料はリヤサクションホース３８内を通ってポンプ３６に送られる構造となっており、リヤサクションホース３８はリヤ施肥タンク３１内のペースト肥料を施肥部（深層用施肥ノズル２８）側に繰り出す送肥ホースである。
　【００３６】
　なおポンプ３６は入力が共通の複数の単ポンプがユニットとなって構成されており、例えば本実施形態では深層用施肥ノズル２８の数と同数の単ポンプによってポンプ３６が構成されている。このときリヤサクションホース３８はリヤステップ１９の側方及び後方、リヤサイドステップ２０の後方を通ってポンプ３６に連結されており、リヤサクションホース３８の上面はリヤステップ１９の上面から突出している。つまりリヤサクションホース３８は座席７側方及び後方の通路２３の外周上面に沿って設けられている。またリヤサクションホース３８は左右のリヤステップ２１及びリヤセンターステップ２０側に取付部２５を介して安定的に（空間的な配管とならないように）取り付けられている。
　【００３７】
　リヤサクションホース３８の上記配管構造により、リヤサクションホース３８はペースト肥料のポンプ３６への送出しホースとしての機能以外に、通路２３外周のガードとしても機能し、また表面を樹脂，ゴム等の滑止め効果のある材料で形成することによって、通路２３（リヤステップ１９）外周における滑止めのストッパーとしての働きも行う。
　【００３８】
　以上のようなリヤサクションホース３８の働きによって、作業者は特にリヤステップ１９側の通路２３上を円滑に移動することができるので、作業性も従来に比較して向上する。そして前述のようにサイドステップ１９の側方がリヤ施肥タンク３１及びステー４１等によってガードされているため、通路２３は全体的にガードされ作業者はほぼ通路２３全体において、通路２３の外端に特別に注意を払うことなく円滑に移動することができる。
　【００３９】
　一方リヤサクションホース３８は通路２３の外側周縁（リヤステップ２１及びリヤセンターステップ２０）に沿って安定して取り付けられているため、従来のような空間的な配管とはならず、リヤサクションホース３８が他の機構やメンテナンス等の妨げにならないだけでなく、走行機体１の走行等による振動等によって揺れて他の機構に悪影響を与えることもない。また通路２３内にリヤサクションホース３８が突出することがないため、作業者は通路２３（サイドステップ１９，リヤステップ２１及びリヤセンターステップ２０）全体を使用することができ、各ステップでの作業性が向上する。
　【００４０】
　またリヤ施肥タンク３１が、前述のようにリヤ施肥タンク３１のアッセンブル後方部分が回動支点軸４７より後方に突出しない範囲に揺動範囲が規制されているため、リヤサクションホース３８におけるリヤステップ１９の側方付近に位置する部分は、リヤ施肥タンク３１が揺動しても極端に湾曲することはない。つまりリヤ施肥タンク３１が格納位置Ａにあるときに、通路２３（リヤステップ２１及びリヤセンターステップ２０）に沿って滑らかに湾曲してリヤ施肥タンク３１とポンプ３６を接続しているリヤサクションホース３８は、リヤ施肥タンク３１を作業位置Ｂに揺動させても、リヤ施肥タンク３１からリヤステップ２１後方までほぼ直線状に滑らかな状態を保つ。
　【００４１】
　このためリヤ施肥タンク３１の揺動に伴ったリヤサクションホース３８の動きはスムーズで、リヤサクションホース３８がリヤ施肥タンク３１の揺動を妨げることもない。さらにポンプ３６がリヤステップ１９の後方に位置しているとともに、リヤサクションホース３８がリヤステップ１９の後方を通っているため、リヤステップ１９における踏部２１ａの全体を使用することができ、作業者のリヤステップ１９上での作業性が向上する。
　【００４２】
　次に前述のインジケータ３７について説明する。インジケータ３７は図１に示されるように右側のロアリンク１３ｂに取り付けられており、入力側がポンプ３６に入力施肥パイプ３９ａで、出力側が深層用施肥ノズル２８に出力施肥パイプ３９ｂで接続されている。このときインジケータ３７は各深層用施肥ノズル２８毎に設けられており、各インジケータ３７の入力端とポンプ３６における各単ポンプの出力端が入力施肥パイプ３９ａによって接続されているとともに、各インジケータ３７の出力端と各深層用施肥ノズル２８の入力端が出力施肥パイプ３９ｂによって接続されている。なおインジケータ３７の構造及び機能は従来のものと同様である。
　【００４３】
　このとき図１に示されるように、ポンプ３６の中心を通る前後方向の直線ｌとインジケータ３７の入力端を通る前後方向の直線ｌ′が平面視で重ならないように、インジケータ３７とポンプ３６が互いにオフセットされて設けられている。これによって入力施肥パイプ３９ａは平面視において略Ｚ形状でポンプ３６とインジケータ３７を接続するため、その接続経路は比較的長いものとなる。このため昇降リンク１４（ロアリンク１３ｂ）の上下動によって植付機１１とともにインジケータ３７が上下揺動しても、入力施肥パイプ３９ａの長さ不足が発生せず、入力施肥パイプ３９ａはインジケータ３７の上下動に追従し、昇降リンク１４の上下動も円滑に行われる。
　【００４４】
　なお本実施形態では、リヤ施肥タンク３１内に、流動性肥料の１種類であるペースト肥料が収容されている例について説明したが、液状の肥料（液肥）等の他の流動性肥料が収容されていても良く、また他の液状肥料及び粒状肥料を施肥する施肥装置の肥料タンクのレイアウトに、上記リヤ施肥タンク３１のレイアウトを応用してもよい。
　【００４５】
　また本実施形態ではサイドステップ１９の側方に昇降用の補助ステップ５８を設けている。該補助ステップ５８は図１、図２に示されるようにリヤ施肥タンク３１の外側方における前方に位置して前後方向に設けられており、サイドステップ３１側に挿脱自在に取り付けられている。そして補助ステップ３１はサイドステップ１９等の各ステップへの昇降の際にサイドステップ１９側に装着されることで走行機体１側に取り付けられるが、この状態において植付機１１の横幅Ｌ′を越えない。また補助ステップ５８の前端とリヤ施肥タンク３１の前端はほぼ一致している。
　【００４６】
　上記構造により補助ステップ５８によってサイドステップ１９又はセンターステップ１８への昇降が容易となるとともに、リヤ施肥タンク３１の後方に位置する拡張ステップ２２への昇降も容易となるため、昇降の作業性及びサイドステップ１９上での作業性共に向上する。
　【００４７】
　次に前述の浅層用施肥ノズル２７，フロント施肥タンク２９等で構成される浅層施肥機構について説明する。浅層施肥機構は従来の乗用田植機に備えられているものと同様であり、前述の深層施肥機構とほぼ同様の構成となっている。そしてフロント施肥タンク２９がボンネット６下方に内装されているとともに、ポンプ５９が機体フレーム４下方における前輪２と後輪３の略中央位置に設けられており、インジケータ６２が左側のロアリンク１３ａに取り付けられている。
　【００４８】
　そしてフロント施肥タンク２９からポンプ５９へはフロントサクションホース６１で接続されているとともに、図２，図６に示されるようにポンプ５９からインジケータ６２へは入力施肥パイプ６３ａによって、インジケータ６２から浅層用施肥ノズル２７へは出力施肥パイプ６３ｂによってそれぞれ接続されている。
　【００４９】
　このときポンプ５９とインジケータ６２を接続している出力施肥パイプ６３ｂには図６，図７に示されるように走行機体１内側に向かって水平な部分を有した形状の出力施肥パイプ６３ｂ−１が設けられており、これによってポンプ５９からインジケータ６２までの出力施肥パイプ６３ｂ群全体の幅をコンパクトにすることができ、ロッド６７等の他部材の配置が容易になる。すなわちスペースαが出力施肥パイプ６３ｂ−１の形状によって創出される。そして以上により走行機体１全体の幅をコンパクトにすることができる。
　【００５０】
　またフロントサクションホース６１は図２，図８に示されるようにトランスミッション６８側方に設けられており、機体フレーム４側とトランスミッション６８側に取り付けられたガイド６４によって保持されているが、該ガイド６４内には油圧パイプ６６も通っている。このため前輪２等によって持ち廻られた土塊が油圧パイプ６６の近傍に落下しても、ガイド６４とフロントサクションホース６１によってガードされて、土塊の油圧パイプ６６への影響が少ない。
　【００５１】
　【発明の効果】
　以上のように構成される本発明によれば、肥料タンクを後方の支点を中心に回動させて運転席から遠ざけることによって、肥料タンク前方に比較的大きな乗降用の空間を確保することができ、作業者の運転席への乗降が容易になるという効果があるだけでなく、肥料タンクを内側方向に回動させて最も運転席側に近付けた場合でも、座席と肥料タンクとの間の空間が確保でき通路の通行が容易になる他、肥料タンクが通路の外側方に位置するため、肥料タンクが通路のガードとして機能するという利点もある。そして特にボンネットの両側に補助苗載せ台が取り付けられている場合、肥料タンク前方の比較的大きな空間によって、補助苗載せ台から補助苗を取り出す作業をより容易に行うことができるという効果もある。
　【００５２】
　また全ての回動範囲において肥料タンクの後方部分が平面視で作業機の前端より前方に設けられた回動支点より後方に突出しないように回動範囲を規制した場合は、肥料タンクを全回動範囲で作業機に当接することがない位置に容易に取り付けることができるだけでなく、回動支点と肥料タンクの後端部分を近接させることによって、肥料タンクを走行機体側にコンパクトに搭載することもできる。
【図面の簡単な説明】
　【図１】
　乗用田植機の平面図である。
　【図２】
　乗用田植機の左側面図である。
　【図３】
　（ａ），（ｂ）はリヤ施肥タンク部分の左側面図及び平面図である。
　【図４】
　（ａ），（ｂ）は固定状態のリヤ施肥タンクの左側面図及び平面図である。
　【図５】
　リヤステップのユーティリティーを示す側面図である。
　【図６】
　浅層施肥機構用のインジケータ部分の平面図である。
　【図７】
　（ａ），（ｂ）は浅層施肥機構の入力施肥パイプの平面図及び側面図である。
　【図８】
　フロントサクションホース部分の背面断面図である。
　【符号の説明】
　１　　　走行機体
　８　　　運転席
　１１　　作業機
　２３　　通路
　２８　　深層用施肥ノズル（施肥部）
　３１　　リヤ施肥タンク（肥料タンク）
　４７　　軸（回動支点）